【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
メール送信端末より取得したメールに含まれる文字列に対応するコンテンツを検索する検索手段と、
前記検索されたコンテンツを含む文字列のパターンを生成する生成手段と、
前記生成された文字列のパターンに優先順位を付与する優先順位付与手段と、
前記優先順位に応じて、前記メール送信端末より取得したメールに含まれる文字列を、前記生成された文字列のパターンに含まれるコンテンツに変換する変換手段と、
前記コンテンツの変換を制約する制約手段とを備える、メール送信サーバ。
【請求項２】
前記メール送信端末より取得したメールに含まれる文字列を分割する文字列分割手段をさらに備え、
前記検索手段は、前記分割された文字列に対応するコンテンツを検索し、
前記変換手段は、前記分割された文字列を、前記優先順位に応じて前記生成された文字列のパターンに含まれるコンテンツに変換する、請求項１に記載のメール送信サーバ。
【請求項３】
前記優先順位付与手段は、前記検索されたコンテンツごとに優先順位を付与するコンテンツ優先順位付与手段をさらに備え、
前記文字列のパターンに含まれるコンテンツごとに付与された優先順位に基づいて、前記文字列のパターンに優先順位を付与する、請求項１または２に記載のメール送信サーバ。
【請求項４】
前記優先順位付与手段は、前記コンテンツの当該メール送信サーバにおける利用頻度と、前記メール送信端末でのメール送信履歴と、前記メールを受信するメール受信端末でのメール受信履歴と、前記コンテンツの製作者と、前記コンテンツの製作時からの時間経過と、前記コンテンツのサイズとの少なくとも１つに基づいて前記文字列のパターンに優先順位を付与する、請求項１〜３のいずれかに記載のメール送信サーバ。
【請求項５】
前記制約手段は、前記コンテンツに変換された文字列を含むメールのデータサイズと、前記メールの再生時間との少なくとも一方に基づいて前記コンテンツの変換を制約する、請求項１〜４のいずれかに記載のメール送信サーバ。
【請求項６】
前記制約手段は、前記メールを受信するメール受信端末の属性に基づいて前記コンテンツの変換を制約する、請求項１〜５のいずれかに記載のメール送信サーバ。
【請求項７】
前記メール受信端末の属性は、受信可能なデータサイズと、再生可能な再生時間と、再生可能なコンテンツの数と、表示サイズとの少なくとも１つである、請求項６に記載のメール送信サーバ。
【請求項８】
前記メール受信端末の属性に基づいた前記コンテンツの変換の制約条件を、受信端末ごとに記憶する制約条件記憶手段とをさらに備える、請求項６または７に記載のメール送信サーバ。
【請求項９】
前記コンテンツに変換された文字列を含むメールを、前記メールを受信するメール受信端末に対して出力する出力手段をさらに備える、請求項１〜８のいずかに記載のメール送信サーバ。
【請求項１０】
前記メール送信端末からの指示を受付けて、前記メール受信端末に対する前記メールの出力を許可する出力許可手段をさらに備え、
前記出力手段は、前記許可された場合に前記メールを前記メール受信端末に対して出力する、請求項９に記載のメール送信サーバ。
【請求項１１】
作成したメールに含まれる文字列に対応するコンテンツを検索する検索手段と、
前記検索されたコンテンツを含む文字列のパターンを生成する生成手段と、
前記生成された文字列のパターンに優先順位を付与する優先順位付与手段と、
前記優先順位に応じて、前記作成したメールに含まれる文字列を、前記生成された文字列のパターンに含まれるコンテンツに変換する変換手段と、
前記コンテンツの変換を制約する制約手段と、
前記コンテンツに変換された文字列を含むメールをメール受信端末に対して出力する出力手段とを備える、メール送信端末。
【請求項１２】
前記作成したメールに含まれる文字列を分割する文字列分割手段をさらに備え、
前記検索手段は、前記分割された文字列に対応するコンテンツを検索し、
前記変換手段は、前記分割された文字列を、前記優先順位に応じて前記生成された文字列のパターンに含まれるコンテンツに変換する、請求項１１に記載のメール送信端末。
【請求項１３】
メール受信端末に対するコンテンツの送信履歴を記憶する送信履歴記憶手段をさらに備え、
前記優先順位付与手段は、前記記憶された前記受信端末に対するコンテンツの送信履歴に基づいて、前記文字列のパターンに優先順位を付与する、請求項１１または１２に記載のメール送信端末。
【請求項１４】
前記制約手段は、前記コンテンツに変換された文字列を含むメールのデータサイズと、前記メールの再生時間との少なくとも一方に基づいて前記コンテンツの変換を制約する、請求項１１〜１３のいずれかに記載のメール送信端末。
【請求項１５】
前記制約手段は、前記メール受信端末の属性に基づいて前記コンテンツの変換を制約する、請求項１１〜１４のいずれかに記載のメール送信端末。
【請求項１６】
メール送信サーバとメール送信端末とを含むメール送受信システムであって、
前記メール送信サーバは、
前記メール送信端末より取得したメールに含まれる文字列に対応するコンテンツを検索する検索手段と、
前記検索されたコンテンツを含む文字列のパターンを生成する生成手段と、
前記生成された文字列のパターンに優先順位を付与する優先順位付与手段と、
前記優先順位に応じて、前記メール送信端末より取得したメールに含まれる文字列を、前記生成された文字列のパターンに含まれるコンテンツに変換する変換手段と、
前記コンテンツの変換を制約する制約手段と、
前記コンテンツに変換された文字列を含むメールを、前記メールを受信するメール受信端末に対して出力する出力手段とを備え、
前記メール送信端末は、前記メール送信サーバに対して、前記コンテンツに変換された文字列を含むメールの出力を許可する許可手段を備え、
前記メール送信サーバは、前記メール送信端末から許可された場合に、前記出力手段において前記メールを前記メール受信端末に対して出力する、メール送受信システム。
【請求項１７】
メール送信端末より取得したメールに含まれる文字列に対応するコンテンツを検索する検索ステップと、
前記検索されたコンテンツを含む文字列のパターンを生成する生成ステップと、
前記生成された文字列のパターンに優先順位を付与する優先順位付与ステップと、
前記優先順位に応じて、前記メール送信端末より取得したメールに含まれる文字列を、前記生成された文字列のパターンに含まれるコンテンツに変換する変換ステップと、
前記コンテンツの変換を制約する制約ステップとを備える、メール送信方法。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】